(57)【要約】【課題】シンポジウム等での使用に最適な内照式表示器を提供する。【解決手段】長方形状の底板１５の四辺に長辺側側板１３及び短辺側側板１４を有する一面が開口した箱体１５と、箱体に着脱可能な透光性表示板１６と、箱体内の発光体とを備えた内照式表示器１１であって、長辺側側板の内側に設けた反射板２０と、箱体の外面に設けられた電源接続部２２、電源スイッチ２３及び照度調整部２４と、長辺側側板及び短辺側側板の各外面中央部にそれぞれ設けられた支持部材取付部２５と、底板上に設けられた複数の発光ダイオード１７と、透光板を箱体に着脱可能に装着するための磁石１９及び磁性体１８とを有している。【選択図】図１
0003124598.tif 000002
【実用新案登録請求の範囲】
【請求項１】
長方形状の底板と、該底板の四辺から立ち上がった一対の長辺側側板及び短辺側側板とを有する一面が開口した箱体と、該箱体の前記開口に着脱可能に設けられる透光性表示板と、前記箱体内に設けられた発光体とを備えた内照式表示器であって、少なくとも前記長辺側側板の内側に開口側が拡開するようにして設けた反射板と、前記箱体の外面に設けられた電源接続部、電源スイッチ及び照度調整部と、前記長辺側側板の一方及び前記短辺側側板の一方の各外面にそれぞれ設けられた支持部材取付部と、前記底板上に発光体として設けられた複数の発光ダイオードと、前記透光板を箱体に着脱可能に装着するための磁石及び磁性体とを有していることを特徴とする内照式表示器。
【請求項２】
前記箱体内に、前記発光ダイオードの電源となるバッテリーを収納するバッテリー収納部が設けられていることを特徴とする請求項１記載の内照式表示器。
【考案の詳細な説明】
【技術分野】
【０００１】
本考案は内照式表示器に関し、特に、シンポジウム、パネルディスカッション等でパネラー、司会者、座長等の役割の表示や、氏名、役職等の表示を行うための内照式表示器に関する。
【背景技術】
【０００２】
従来から、広告宣伝用に半透明の透光板により箱体を形成し、透光板に店名や商品名等を記載するとともに、内部に蛍光灯等の発光体を収納した内照式の看板が広く用いられいている（例えば、特許文献１参照。）。
【特許文献１】特開２０００−５６７１５号公報
【考案の開示】
【考案が解決しようとする課題】
【０００３】
しかしながら、従来の内照式の看板は、各店舗毎に製造されるものであって、記載された店名等を変更する際には、箱体そのものを作り直す必要があった。一方、シンポジウム等で出席者の役割を表示する場合、その多くは適当な大きさの紙に墨等で書いたものや、プラスチック製の表示板等が用いられていたが、会場内の照明の状態によっては判別しにくいことがあった。
【０００４】
そこで本考案は、シンポジウム等における出席者の役割を見易く表示できるとともに、表示内容の変更も容易に行うことができる内照式表示器を提供することを目的としている。
【課題を解決するための手段】
【０００５】
上記の目的を達成するため、本考案の内照式表示器は、長方形状の底板と、該底板の四辺から立ち上がった一対の長辺側側板及び短辺側側板とを有する一面が開口した箱体と、該箱体の前記開口に着脱可能に設けられる透光性表示板と、前記箱体内に設けられた発光体とを備えた内照式表示器であって、少なくとも前記長辺側側板の内側に開口側が拡開するようにして設けた反射板と、前記箱体の外面に設けられた電源接続部、電源スイッチ及び照度調整部と、前記長辺側側板の一方及び前記短辺側側板の一方の各外面にそれぞれ設けられた支持部材取付部と、前記底板上に発光体として設けられた複数の発光ダイオードと、前記透光板を箱体に着脱可能に装着するための磁石及び磁性体とを有していることを特徴としている。さらに、前記箱体内に前記発光ダイオードの電源となるバッテリーを収納するバッテリー収納部を設けておくこともできる。
【考案の効果】
【０００６】
本考案の内照式表示器によれば、透光性表示板に司会者、座長等の文字を黒色等の不透光性あるいは文字を透光性、周囲を不透光性として内部の発光ダイオードを発光させることにより、シンポジウム等における出席者の役割を見易く表示することができる。また、照度調整部を設けておくことにより、設置場所の照明等に応じた明るさを得ることができる。さらに、長辺側側板及び短辺側側板に支持部材取付部をそれぞれ設けておくことにより、表示器の横置き、縦置きのいずれの場合でも支持部材で支持することができる。加えて、乾電池等のバッテリーで照明できるようにしておくことにより、コンセント等の電源の位置に関係なく内照式表示器の設置場所を任意に選定することができる。
【考案を実施するための最良の形態】
【０００７】
図１は本考案の内照式表示器の一形態例を示す斜視図、図２は断面図である。
内照式表示器１１は、長方形状の底板１２と、該底板１２の四辺から立ち上がった一対の長辺側側板１３，１３及び短辺側側板１４，１４とを有する一面が開口した箱体１５と、該箱体１５の前記開口に着脱可能に設けられる透光性表示板１６と、前記箱体１５内に設けられた発光体である発光ダイオード１７，１７とで形成されている。
【０００８】
前記箱体１５の開口部外縁には透光性表示板１６の外形に対応した突片１５ａが設けられており、透光性表示板１６は、突片１５ａ内に嵌り込む状態で位置決めされる。さらに、突片１５ａの内側には磁性体１８が設けられており、前記透光性表示板１６の四辺部には面状のゴム磁石１９が設けられている。したがって、透光性表示板１６は磁力によって箱体１５の開口に着脱可能な状態で装着され、交換容易な構造となっている。なお、突片１５ａは、開口部外縁の全体に連続して設けてもよいが、透光性表示板１６を位置決めして保持できれば適当な間隔を空けて設けることもできる。突片１５ａを連続して設けた場合は、一部を切り欠いておくことにより、透光性表示板１６を取り外す際の指係とすることができる。また、磁石と磁性体とを逆に設けてもよい。
【０００９】
透光性表示板１６は、アクリル等の透明乃至半透明の合成樹脂で形成されており、印刷、シートやフィルムの貼付等の適宜な手法によって文字や模様等の表示１６ａが形成されている。この表示１６ａは、透明乃至半透明の板面に黒色等の不透明乃至難透光性の文字等を形成してもよく、表示１６ａ部分を透明乃至半透明として周囲を不透明乃至難透光性とした白抜き文字であってもよい。また、有色表示が必要な場合は、透光性表示板１６自体に着色板を用いてもよく、無色乃至白色の透光性表示板１６に着色透明フィルムやシートを貼付することもできる。
【００１０】
前記発光ダイオード１７は、白色の発光ダイオード（ＬＥＤ）が用いられており、底板１２の長手方向及び短手方向に対して略等間隔に設けられている。この発光ダイオード１７は、全てを１枚の基板上に実装してから底板１２に取り付けるようにしてもよく、１個乃至数個をひとまとめにして底板１２に取り付けるようにしてもよい。なお、発光ダイオード１７の設置数は、箱体１５の大きさや所望の明るさに応じて適宜選択することができる。
【００１１】
前記長辺側側板１３の内側には、開口側が拡開する反射板２０がそれぞれ設けられている。このような反射板２０を設けることにより、長辺側側板１３の近傍における照明効果を向上させて発光ダイオード１７の所要数を少なくできるとともに、反射板２０裏面の底板１２側を電気部品の収納部として利用することができる。例えば、発光ダイオード１７の電源として乾電池や充電池といったバッテリー２１を収納することが可能となる。
【００１２】
前記箱体１５の外面には、電源接続部２２、電源スイッチ２３及び照度調整部２４が設けられるとともに、前記長辺側側板１３及び前記短辺側側板１４の外面中央部には、支持部材取付部２５がそれぞれ設けられている。電源接続部２２には、図示しないＡＣアダプタからの電源コードが接続され、商用電源を数Ｖの直流に変換した電力が供給される。電源スイッチ２３は、押しボタンスイッチ等の一般的なスイッチが用いられ、発光ダイオード１７を任意にＯＮ・ＯＦＦできるようにしている。また、照度調整部２４は、ダイヤルを回すことによって発光ダイオード１７の発光強度を調節するもので、内照式表示器１１を使用する場所の明るさに応じて最適な照度が得られるようにしている。なお、電源スイッチ２３と照度調整部２４とを兼用したダイヤルスイッチを使用してもよい。
【００１３】
支持部材取付部２５は、雌ネジを有するものであって、適宜な支柱や支持アーム、例えばマイクスタンドやカメラ用三脚等に設けられた雄ネジをねじ込むことにより、内照式表示器１１を任意の位置、高さに設置することができるようにしている。内照式表示器１１は、長辺側側板１３を下にすることによって横向きに、短辺側側板１４を下にすることによって縦向きに、それぞれ設置することが可能であるが、支持部材取付部２５を長辺側側板１３及び短辺側側板１４の双方に設けておくことにより、内照式表示器１１を縦位置、横位置のいずれにも安定した状態で設置することが可能となる。
【００１４】
この内照式表示器１１は、箱体１５における長手寸法が３０〜６０ｃｍ、短手寸法が１０〜２０ｃｍ、側壁高さが５〜１０ｃｍ程度の大きさに形成され、厚さが３〜７ｍｍ程度の透光性表示板１６を装着した状態で、シンポジウム、パネルディスカッション等の会場におけるパネラーや司会者が着席するテーブル上に載せた状態、あるいは、支持部材取付部２５を利用して適宜なスタンドに支持された状態で設置される。
【００１５】
このような用途に使用する内照式表示器１１は、箱体１５及び透光性表示板１６の大きさなどを規格化し、シンポジウム、パネルディスカッション、その他の会議で使用する可能性のある各種の表示１６ａをそれぞれ形成した透光性表示板１６を所要数用意しておくことにより、会場の設営を円滑に短時間で行うことができる。会場が複数に分かれている場合には、会場案内にも使用することができる。さらに、バッテリー内蔵としておくことにより、コンセントの無い場所での使用も可能となる。
【００１６】
また、内照式表示器１１は、従来の紙やプラスチックを使用したものに比べて視認性に優れており、使い捨てではなく、繰り返し使用することができるので、省資源にも寄与する。さらに、発光体として発光ダイオードを使用しているので、省エネを図ることができる。
【図面の簡単な説明】
【００１７】
【図１】本考案の内照式表示器の一形態例を示す斜視図である。
【図２】同じく断面図である。
【符号の説明】
【００１８】
１１  内照式表示器
１２  底板
１３  長辺側側板
１４  短辺側側板
１５  箱体
１５ａ  突片
１６  透光性表示板
１６ａ  表示
１７  発光ダイオード
１８  磁性体
１９  ゴム磁石
２０  反射板
２１  バッテリー
２２  電源接続部
２３  電源スイッチ
２４  照度調整部
２５  支持部材取付部
【図１】
0003124598.tif 000003
【図２】
0003124598.tif 000004
【手続補正書】
【提出日】平成18年6月21日(2006.6.21)
【手続補正１】
【補正対象書類名】実用新案登録請求の範囲
【補正対象項目名】請求項１
【補正方法】変更
【補正の内容】
【請求項１】
長方形状の底板と、該底板の四辺から立ち上がった一対の長辺側側板及び短辺側側板とを有する一面が開口した箱体と、該箱体の前記開口に着脱可能に設けられる透光性表示板と、前記箱体内に設けられた発光体とを備えた内照式表示器であって、少なくとも前記長辺側側板の内側に開口側が拡開するようにして設けた反射板と、前記箱体の外面に設けられた電源接続部、電源スイッチ及び照度調整部と、前記長辺側側板の一方及び前記短辺側側板の一方の各外面にそれぞれ設けられた支持部材取付部と、前記底板上に発光体として設けられた複数の発光ダイオードと、前記透光性表示板を箱体に着脱可能に装着するための磁石及び磁性体とを有していることを特徴とする内照式表示器。
【手続補正２】
【補正対象書類名】明細書
【補正対象項目名】０００５
【補正方法】変更
【補正の内容】
【０００５】  上記の目的を達成するため、本考案の内照式表示器は、長方形状の底板と、該底板の四辺から立ち上がった一対の長辺側側板及び短辺側側板とを有する一面が開口した箱体と、該箱体の前記開口に着脱可能に設けられる透光性表示板と、前記箱体内に設けられた発光体とを備えた内照式表示器であって、少なくとも前記長辺側側板の内側に開口側が拡開するようにして設けた反射板と、前記箱体の外面に設けられた電源接続部、電源スイッチ及び照度調整部と、前記長辺側側板の一方及び前記短辺側側板の一方の各外面にそれぞれ設けられた支持部材取付部と、前記底板上に発光体として設けられた複数の発光ダイオードと、前記透光性表示板を箱体に着脱可能に装着するための磁石及び磁性体とを有していることを特徴としている。さらに、前記箱体内に前記発光ダイオードの電源となるバッテリーを収納するバッテリー収納部を設けておくこともできる。